【事件の表示】
　特許第２７９６３０８号「光カードの記録再生方法及び光カードのデータ配置方法」の請求項１に係る特許に対する特許異議の申立てについて、次のとおり決定する。
【結論】
　特許第２７９６３０８号の請求項１に係る特許を維持する。
【理由】
Ｉ．手続の経緯
　本件特許第２７９６３０８号発明は、昭和６３年７月２６日に特許出願されたものであって、平成１０年６月２８日にその特許の設定登録がなされ、その後、関邦俊より特許異議の申立がなされたものである。
ＩＩ．特許異議申立てについて
（１）本件発明
　本件請求項１に係る発明（以下、本件発明という）は、その特許請求の範囲の欄請求項１に記載された以下のとおりのものである。
　「光カードに対して光ヘッドを相対的に移動させながら、データの記録と再生の少なくとも一方を行う光カードの記録再生方法において、
　前記光カードにはデータ部と第１及び第２のＩＤ部とを備えたトラックが複数配置され、前記第１のＩＤ部は前記データ部の一端に位置し、前記第２のＩＤ部は前記データ部の他端に位置し、上記トラックのそれぞれの前記第１のＩＤ部と前記第２のＩＤ部には同じトラックアドレス情報が記録されており、
　前記光カードと前記光ヘッドとの一方向の相対移動中に、前記第１のＩＤ部からトラックアドレス情報を読み出し、データ部に対してデータの記録または再生動作を行い、
　前記第２のＩＤ部からトラックアドレス情報を読み出す一連の動作を行い、前記第１のＩＤ部からのトラックアドレス情報と前記第２のＩＤ部からのトラックアドレス情報とを比較し、両トラックアドレス情報が一致しないときに、データ部に対する記録または再生動作が異常であると判定することを特徴とする光カードの記録再生方法。」
（２）申立ての理由の概要
　特許異議申立人は、甲第１号証として特開昭６３−３７８７６号公報（以下、刊行物１という）、甲第２号証として特開昭６３−９６７４０号公報（以下、刊行物２という）、及び甲第３号証として特開昭６０−１０９０３４号公報（以下、刊行物３という）を提出し、本件発明は、各刊行物に記載された発明に基づいて、当業者が容易に発明し得たものであるとして、本件発明についての特許は、特許法第２９条第２項の規定に違反してなされたものであるから、特許を取り消すべきである旨主張している。
（３）刊行物の記載
▲１▼刊行物１には、「光カード」についての発明に関して、以下の記載がある。
・「光カードを記録媒体として用いるデータの記録および／または再生システムにおいては、互いに平行な複数のトラックを有する光カードと、この光カードに対してデータを光学的に記録および／または再生するヘッドとを、トラック方向およびこれと直交する方向にそれぞれ相対的に往復移動させてデータの記録および／または再生を行うようにしている。」
・「この光カード１１は、互いに平行な複数のトラック１２を有する光記録部１３の両端部に、各トラックに対応してその属性を示す情報を記録したＩＤ部１４ａ、１４ｂを設け、これらＩＤ部１４ａ、１４ｂ間をデータエリア１５としたものである。ＩＤ部１４ａ、１４ｂは、光カード１１の端部における傷、汚れ等の情報を読取るのに障害となる物理的な要因の付加を避けるため、および光カード１１とヘッドとのトラック方向における相対的移動が反転した後十分安定した移動速度が得られるようにするため、光カード１１のそれぞれの端面から、すなわちＩＤ部１４ａは一方の端面１１ａから、またＩＤ部１４ｂは他方の端面１１ｂから所定距離、例えば４ｍｍ内側に形成する。このようにＩＤ部１４ａ、１４ｂを形成することにより、その情報を常に安定して確実に読取ることができる。
　第２図に詳細に示すように、左側のＩＤ部１４ａには左から右へ情報を読取る際に同期を引き込むための左シンクパターン１６ａと、そのトラックを示す左トラック情報１７ａとを記録し、また右側のＩＤ部１４ｂには右から左へ情報を読取る際に同期を引き込むための右シンクパターン１６ｂと、そのトラックを示す右トラック情報１７ｂとを記録する。ここで、左右のトラック情報１７ａ、１７ｂの内容は、同一のトラックを表わす意味で同一であるが、左トラック情報１７ａは左から右へ、右トラック情報１７ｂは右から左へ情報を読取り易いように、例えば左右対称に記録する。」
・「上記構成の光カード１１を用いれば、例えばヘッドが光カード１１に対してトラック方向に左から右へ移動しているときは左側のＩＤ部１４ａを、また右から左へ移動しているときは右側のＩＤ部１４ｂを読取ることにより、シーク動作が往復移動の両方向で可能となるので、シーク時間を従来の約半分にすることができる。また、シーク動作中に一方のＩＤ部が読取り不能となっても、他方のＩＤ部が読取り可能であればシーク動作を続行することができるので、片側にのみＩＤ部を有する従来の光カードに比べ、シーク不可能になる確率を半分に低減できる。更に、データエリア１５の読取りが左右両方向からできるので、データのアクセス時間も大巾に短縮することができる。」
・「この発明によれば、各トラックの両端部に互いに反対方向から読取り得るようにＩＤ部を設けたので、シークおよびデータアクセスを短時間で行うことができると共に、一方のＩＤ部が読取り不能になっても他方のＩＤ部が読取り可能であればシーク動作を行うことができるので、各トラックを常に安定して使用することができる。」
▲２▼刊行物２には、「光学式記録媒体」についての発明に関して、以下の記載がある。
・「例えば、従来の追記型の光ディスクにおいては、」
・「この発明は、・・・オンライン処理あるいはオフライン処理を効率よく、しかも安価に実現できる光学式記録媒体を提供することを目的とする。」
・「所望のデータを記録するデータ領域とは別に、記録媒体を管理するためのデータを光学的に読取可能に記録できる領域を設ける。」
・「記録層２にはトラックのアドレスを示すデータを予め記録したＩＤ部３Ａ、３Ｂと、所望のデータを記録するためのデータ記録領域４と、カードの管理情報を記録するためのハッチングを施して示す管理情報記録領域５とを設ける。ＩＤ部３Ａ、３Ｂはカード長手方向両端部においてカード長手方向と直交する方向に延在して形成し、ＩＤ部３Ａにおいては第１図において左から右方向に、ＩＤ部３Ｂにおいては右から左方向に走査することによってトラックアドレスを読取り得るようにし、これらＩＤ部３Ａ、３Ｂ間において数トラックに分けてデータ記録領域４と管理情報記録領域５とを設ける。」
・「既に書込まれている直前の最終アドレス８の次に続けて今回の処理終了後の最終書込みアドレスを書き足していくようにしたものである。このようにすれば、従来のカードのプリレコードを変更することなく、最終書込みアドレスの管理が可能となる。」
▲３▼刊行物３には、「光ディスクの記録再生方法」についての発明に関して、以下の記載がある。
・「本発明の目的は、・・・ディスクに欠点がある場合でもトラッキング飛びが生ずる可能性を大巾に減少させることができ、迅速且つ正確なアクセス或いは記録再生を行い得る光ディスクの記録再生方式を提供することである。」
・「本発明による光ディスク記録再生方法の特徴の１つは、光ディスク上に欠陥のあるセクタが存在する場合、この欠陥のあるセクタを予め検出して光ディスクの記録面及びディスクコントローラ内のメモリにこの欠陥セクタの情報を記憶しておくことにある。」
・「この場合、光ディスク上の欠陥によるトラック飛びがなければ、再生されたトラック番地ＴＡは、トラック１周について全て同一であり、セクタ番地ＳＡは基準マーク１３の位置にあるセクタを１番地として通し番号となる。従って、このような定常状態から外れトラック番地ＴＡ又はセクタ番地ＳＡが変化したときには、そのセクタに欠陥があるものと判断され、コンディションフラグＣＦを″１″としてそのセクタを使用禁止にするとともに、メモリー（ＭＥＭ）３２にそのセクタ位置を記憶する。」
・「本発明による光ディスクの記録再生方法のもう１つの特徴は、光スポットが欠陥のあるセクタを通過することを前記メモリ３２の情報に基づいて予め検知し、光スポットが該欠陥のあるセクタ上を通過する時間に略一致する時、該光スポットをして該欠陥のあるセクタの属するトラックに近傍する欠陥のない他のトラック上を通過せしめることにある。」
（４）対比・判断
　本件発明と刊行物１又は刊行物２記載の発明とを対比する。
　刊行物１又は刊行物２記載のいずれの発明においても、光カードは、複数のトラックを配置するとともに、各トラックには、データを記録するための領域とその領域を挟む両側端部に各トラックに対応し、同一のトラックに対して同一の情報、アドレスを記録したＩＤ部を設けており、本件発明における光カードの情報記録部の構成と一致しており、光カード自体に相違するところはない。
　更に、所定トラックに対する記録再生動作について検討する。
　本件発明は、「一連の動作」として、「光カードと光ヘッドとの一方向の相対的移動中に、第１のＩＤ部からトラックアドレス情報を読み出し、データ部に対してデータの記録または再生動作を行い、第２のＩＤ部からトラックアドレス情報を読み出す」動作を行うものである。
　一方、刊行物１又は刊行物２記載のものでは、前者において、「左トラック情報１７ａは左から右へ、右トラック情報１７ｂは右から左へ情報を読取り易いように、例えば左右対称に記録する。」としながら、「左側のＩＤ部１４ａには左から右へ情報を読取る際に同期を引き込むための左シンクパターン１６ａと、そのトラックを示す左トラック情報１７ａとを記録し、また右側のＩＤ部１４ｂには右から左へ情報を読取る際に同期を引き込むための右シンクパターン１６ｂと、そのトラックを示す右トラック情報１７ｂとを記録する」、「ヘッドが光カード１１に対してトラック方向に左から右へ移動しているときは左側のＩＤ部１４ａを、また右から左へ移動しているときは右側のＩＤ部１４ｂを読取ることにより、シーク動作が往復移動の両方向で可能となる」としているのみで、本件発明のように一連の動作として、第１のＩＤ部からトラックアドレス情報を読み出すとともに、第２のＩＤ部からトラックアドレス情報を読み出すものであるか否かは不明である。
　この点については、後者においても、同様であって、結局、刊行物１又は刊行物２記載のいずれの発明も、記録再生動作時のデータ記録領域両端のＩＤ部の読み出し動作において、又、両端ＩＤ部の同時読み出しを前提としたデータ部に対する記録または再生動作の異常判定処理動作を備えていない点において、本件発明とは、相違しているというべきである。
　次に、刊行物３記載の発明について検討する。
　刊行物３記載のものにおいて、記録領域は、トラック部及びセクタ部からなっており、セクタ部についての記録フォーマットを示した第４図の記載からみて、本件発明でいう「トラック」に対応する記憶領域は、「セクタ部」であるということができる。
　記録フォーマットは、本件発明でいうＩＤ部に相当するトラック番地ＴＡとセクタ番地ＳＡを含む表題部ＩＤ及び、データ部ＤＴからなり、本件発明のものと類似するものではあるが、表題部ＩＤは、データ部ＤＴに対して、片側端部のみに配置されており、本件発明及び前記刊行物１、刊行物２記載の光カードにおける記録領域配置構成とは相違していることは明らかである。
　そして、刊行物３記載のものは、トラックが円周上にあって、同じトラック内に配されたセクタに対して同じトラック番地が付されていること、同じトラック内のセクタは基準位置から通し番号が付されること、更に記録フォーマットが第４図で示されるものであることを利用して、同じ円周上に配置される異なるセクタ間のＩＤ部の情報に基づいて、欠陥セクタ又はトラッキング異常を判定するものであり、これと異なる記録領域の配置構成を有する刊行物１又は刊行物２記載の発明に対して、刊行物３記載の異常判定手法を適用すること自体困難であり、たとえ適用したとしても、刊行物１又は刊行物２で通し番号が付されると考えられるデータ記録領域の片側ＩＤ部で隣接配置されたトラックのトラックアドレスが、通し番号として読取れないとき異常であると判定することが想定し得る限度であって、同じトラックのデータ記録領域の両端のＩＤ部を一連の動作で読取るとともに、両端ＩＤ部のアドレス情報の対比による異常判定をすることを導出することは困難である。
　結局、本件発明を、前記各刊行物記載の発明に基づいて当業者が容易に発明し得たものとすることはできない。
ＩＩＩ．むすび
　以上のとおりであるから、特許異議申立ての理由及び証拠によっては、本件特許を取り消すことはできない。
　又、他に本件特許を取り消すべき理由を発見しない。
　よって、結論のとおり決定する。
【異議決定日】
平成１１年６月１０日（１９９９．６．１０）